(57)【要約】【課題】宛先情報の編集操作時に用いる宛先情報の一部となり得る情報を予め記憶するときの手間を軽減する。【解決手段】ファクシミリ通信に用いる自局名称を記憶する自局名称記憶部と、ネットワーク通信及びファクシミリ通信のうち少なくとも一方を行うときに用いる宛先情報を記憶する宛先情報記憶部と、宛先情報の一部となり得る宛先候補情報を記憶する候補情報記憶部と、自局名称が掲載されたホームページを検索することを所定のメインサーバーに要求し、検索結果一覧を受信する検索実行部と、検索結果一覧に含まれるホームページに掲載されている宛先候補情報を取得する宛先候補情報取得部と、取得された宛先候補情報を候補情報記憶部に記憶する候補記憶制御部と、候補情報記憶部に記憶されている宛先候補情報を宛先情報記憶部に記憶する宛先情報の一部に用いる編集操作を受け付ける編集操作受付部とを備える。【選択図】図１０
2013251706.tif 000002
【特許請求の範囲】
【請求項１】
インターネット上のホームページを検索する検索サーバーと通信可能に接続された画像形成装置であって、
情報が表示される表示部と、
ファクシミリ通信を行うファクシミリ通信部と、
前記ファクシミリ通信に用いる自局の名称である自局名称を記憶する自局名称記憶部と、
前記インターネットを介してネットワーク通信を行うネットワーク通信部と、
前記ネットワーク通信及び前記ファクシミリ通信のうち少なくとも一方を行うときに用いる宛先に関する情報である宛先情報を記憶する宛先情報記憶部と、
前記宛先情報の一部となり得る情報である宛先候補情報を記憶する候補情報記憶部と、
前記自局名称記憶部に記憶されている前記自局名称が掲載されたホームページを検索することを前記検索サーバーとして予め定められたメインサーバーに要求するとともに、当該要求に応答して前記メインサーバーによって検索されたホームページの一覧である検索結果一覧を受信する前記ネットワーク通信を前記ネットワーク通信部によって行わせる自動検索処理を実行する検索実行部と、
前記自動検索処理によって受信された検索結果一覧に含まれるホームページに掲載されている前記宛先候補情報を取得する宛先候補情報取得部と、
前記宛先候補情報取得部で取得された前記宛先候補情報を前記候補情報記憶部に記憶する候補記憶制御部と、
前記候補情報記憶部に記憶されている前記宛先候補情報を、前記宛先情報記憶部に記憶する対象の前記宛先情報の一部に用いる編集の操作を受け付ける編集操作受付部と、
を備える画像形成装置。
【請求項２】
前記メインサーバーとは異なる検索サーバーを識別するサーバー情報の入力を受け付ける検索サーバー受付部と、
前記検索サーバー受付部への前記サーバー情報の入力を案内するサーバー入力案内部と、
前記自局名称記憶部に記憶されている前記自局名称が掲載されたホームページを検索することを前記検索サーバー受付部で受け付けられた前記サーバー情報に対応する検索サーバーである代替サーバーに要求するとともに、当該要求に応答して前記代替サーバーによって検索されたホームページの一覧である検索結果一覧を受信する前記ネットワーク通信を前記ネットワーク通信部によって行わせる手動検索処理を実行する手動検索実行部と、
前記手動検索処理によって受信された検索結果一覧に含まれるホームページに掲載されている前記宛先候補情報を取得する候補情報手動取得部と、
を更に備え、
前記候補記憶制御部は、前記宛先候補情報取得部によって前記宛先候補情報が取得されなかった場合に、前記サーバー入力案内部によって前記サーバー情報の入力を案内させる処理と、前記手動検索実行部によって前記手動検索処理を実行させる処理と、前記候補情報手動取得部によって取得された前記宛先候補情報を前記候補情報記憶部に記憶する処理とを実行する請求項１に記載の画像形成装置。
【請求項３】
前記宛先候補情報取得部によって取得された前記宛先候補情報が正しいか否かを示す確認情報の入力を受け付ける確認情報受付部と、
前記確認情報受付部への前記確認情報の入力を案内する確認入力案内部と、
を更に備え、
前記候補記憶制御部は、前記宛先候補情報取得部によって前記宛先候補情報が取得された場合に、前記確認入力案内部によって前記確認情報の入力を案内させる処理を実行し、前記確認情報受付部によって前記正しいことを示す前記確認情報が受け付けられたときに、前記確認情報に対応する前記宛先候補情報を前記候補情報記憶部に記憶する請求項１又は２に記載の画像形成装置。
【請求項４】
前記宛先候補情報取得部によって取得された前記宛先候補情報が正しいか否かを示す確認情報の入力を受け付ける確認情報受付部と、
前記確認情報受付部への前記確認情報の入力を案内する確認入力案内部と、
を更に備え、
前記候補記憶制御部は、前記宛先候補情報取得部によって前記宛先候補情報が取得された場合に、前記確認入力案内部によって前記確認情報の入力を案内させる処理を実行し、前記確認情報受付部によって前記正しいことを示す前記確認情報が受け付けられたときに、前記確認情報に対応する前記宛先候補情報を前記候補情報記憶部に記憶し、前記確認情報受付部によって前記正しいことを示す前記確認情報が受け付けられなかったときには、前記サーバー入力案内部によって前記サーバー情報の入力を案内させる処理と、前記手動検索実行部に前記手動検索処理を実行させる処理と、前記候補情報手動取得部によって取得された前記宛先候補情報を前記候補情報記憶部に記憶する処理とを実行する請求項２に記載の画像形成装置。
【請求項５】
複数の検索サーバーが前記メインサーバーとして予め定められており、
前記検索実行部は、前記複数の検索サーバーのそれぞれを前記メインサーバーとして用いる前記自動検索処理を連続して実行し、
前記宛先候補情報取得部は、前記連続して実行された前記自動検索処理によって受信された全ての前記検索結果一覧に含まれるホームページに掲載されている前記宛先候補情報を取得する請求項１から４の何れか一項に記載の画像形成装置。
【請求項６】
前記ファクシミリ通信に用いる自局の番号である自局番号を記憶する自局番号記憶部を更に備え、
前記検索実行部は、前記自動検索処理において、前記自局名称記憶部に記憶されている前記自局名称と前記自局番号記憶部に記憶されている前記自局番号とがともに掲載されたホームページを検索することを前記メインサーバーに要求する請求項１から５の何れか一項に記載の画像形成装置。
【請求項７】
前記宛先候補情報は、前記ネットワーク通信に用いるメールアドレスの少なくとも一部を示す情報を含む請求項１から６の何れか一項に記載の画像形成装置。
【請求項８】
前記宛先候補情報は、前記ファクシミリ通信に用いる電話番号を示す情報を含む請求項１から７の何れか一項に記載の画像形成装置。
【請求項９】
前記宛先候補情報取得部は、前記自動検索処理によって受信された前記検索結果一覧のうちの先頭のホームページに掲載されている前記宛先候補情報を取得する請求項１から８の何れか一項に記載の画像形成装置。
【請求項１０】
前記候補情報手動取得部は、前記手動検索処理によって受信された前記検索結果一覧のうちの先頭のホームページに掲載されている前記宛先候補情報を取得する請求項２及び請求項２に従属する請求項３から９の何れか一項に記載の画像形成装置。
【請求項１１】
前記メインサーバーと、請求項１から１０の何れか一項に記載の画像形成装置と、を備える宛先候補情報取得システム。
【発明の詳細な説明】
【技術分野】
【０００１】
本発明は、インターネット上のホームページを検索する検索サーバーに接続された画像形成装置に関し、特に、通信に用いる宛先に関する情報を編集する技術に関する。
【背景技術】
【０００２】
従来から、スキャナー等の画像読取装置で読み取った画像データを、ネットワークを介して電子メールで送信する、電話回線網を介してファクシミリ送信する等、ネットワーク通信機能及びファクシミリ通信機能を備えた画像形成装置が知られている。
【０００３】
このような画像形成装置において、ネットワーク通信やファクシミリ通信を行うときには、電子メールに用いるメールアドレスやファクシミリ通信に用いる電話番号等の宛先に関する情報（以下、宛先情報）を入力する手間が必要になる。この手間を軽減するために、頻度高く入力する宛先情報を予め記憶部に記憶しておき、ネットワーク通信やファクシミリ通信を行うときに、記憶部から読み出した宛先情報を用いて簡便に入力する技術が知られている。
【０００４】
例えば、下記特許文献１には、電子メールアドレスを入力する場合に、ドメイン名記憶手段に予め記憶させているドメイン名の全体又は一部を選択可能に表示し、選択されたドメイン名の全体又は一部を電子メールアドレスの一部として入力する技術が記載されている。当該技術によって、電子メールアドレスを入力するときの手間を省くことができる。
【先行技術文献】
【特許文献】
【０００５】
【特許文献１】特開２００２−５５９２２号公報
【発明の概要】
【発明が解決しようとする課題】
【０００６】
しかし、上記特許文献１に記載の技術では、例えば、画像形成装置を初めて利用する場合等に、ドメイン名等の宛先情報の一部となり得る情報（以下、宛先候補情報）を一文字ずつ手動で入力する等して記憶部に予め記憶する手間が必要であり、この手間を改善する余地があった。
【０００７】
本発明は、このような事情に鑑みてなされたものであり、宛先情報の編集操作時に用いる宛先情報の一部となり得る情報を予め記憶するときの手間を軽減することができる画像形成装置及びこれを備えた宛先候補情報取得システムを提供することを目的とする。
【課題を解決するための手段】
【０００８】
本発明に係る画像形成装置は、インターネット上のホームページを検索する検索サーバーと通信可能に接続された画像形成装置であって、情報が表示される表示部と、ファクシミリ通信を行うファクシミリ通信部と、前記ファクシミリ通信に用いる自局の名称である自局名称を記憶する自局名称記憶部と、前記インターネットを介してネットワーク通信を行うネットワーク通信部と、前記ネットワーク通信及び前記ファクシミリ通信のうち少なくとも一方を行うときに用いる宛先に関する情報である宛先情報を記憶する宛先情報記憶部と、前記宛先情報の一部となり得る情報である宛先候補情報を記憶する候補情報記憶部と、前記自局名称記憶部に記憶されている前記自局名称が掲載されたホームページを検索することを前記検索サーバーとして予め定められたメインサーバーに要求するとともに、当該要求に応答して前記メインサーバーによって検索されたホームページの一覧である検索結果一覧を受信する前記ネットワーク通信を前記ネットワーク通信部によって行わせる自動検索処理を実行する検索実行部と、前記自動検索処理によって受信された検索結果一覧に含まれるホームページに掲載されている前記宛先候補情報を取得する宛先候補情報取得部と、前記宛先候補情報取得部で取得された前記宛先候補情報を前記候補情報記憶部に記憶する候補記憶制御部と、前記候補情報記憶部に記憶されている前記宛先候補情報を、前記宛先情報記憶部に記憶する対象の前記宛先情報の一部に用いる編集の操作を受け付ける編集操作受付部と、を備える。
【０００９】
この構成によれば、メインサーバーから受信した、自局名称が掲載されたホームページの一覧から、宛先情報の一部となり得る宛先候補情報が取得される。そして、この取得した宛先候補情報を宛先情報の一部に用いる編集の操作が受け付けられる。つまり、自局名称記憶部に記憶された自局名称が掲載されているホームページから、自局に関連する例えばメールアドレスや電話番号等の、宛先情報の一部となり得る可能性の高い情報を自動的に取得して記憶することができる。したがって、宛先情報の編集操作時に用いる宛先情報の一部となり得る宛先候補情報を予め記憶するときの手間を軽減することができる。
【００１０】
また、前記メインサーバーとは異なる検索サーバーを識別するサーバー情報の入力を受け付ける検索サーバー受付部と、前記検索サーバー受付部への前記サーバー情報の入力を案内するサーバー入力案内部と、前記自局名称記憶部に記憶されている前記自局名称が掲載されたホームページを検索することを前記検索サーバー受付部で受け付けられた前記サーバー情報に対応する検索サーバーである代替サーバーに要求するとともに、当該要求に応答して前記代替サーバーによって検索されたホームページの一覧である検索結果一覧を受信する前記ネットワーク通信を前記ネットワーク通信部によって行わせる手動検索処理を実行する手動検索実行部と、前記手動検索処理によって受信された検索結果一覧に含まれるホームページに掲載されている前記宛先候補情報を取得する候補情報手動取得部と、を更に備え、前記候補記憶制御部は、前記宛先候補情報取得部によって前記宛先候補情報が取得されなかった場合に、前記サーバー入力案内部によって前記サーバー情報の入力を案内させる処理と、前記手動検索実行部によって前記手動検索処理を実行させる処理と、前記候補情報手動取得部によって取得された前記宛先候補情報を前記候補情報記憶部に記憶する処理とを実行することが好ましい。
【００１１】
この構成によれば、自動的に宛先候補情報を取得できなかった場合であっても、ユーザーは、サーバー入力案内部による検索サーバー受付部へのサーバー情報の入力の案内に従って、効率よく検索サーバー受付部へのサーバー情報の入力の操作を行うことができる。そして、当該入力したサーバー情報に対応する代替サーバーを介して、宛先候補情報を自動的に取得して記憶することができる。
【００１２】
また、前記宛先候補情報取得部によって取得された前記宛先候補情報が正しいか否かを示す確認情報の入力を受け付ける確認情報受付部と、前記確認情報受付部への前記確認情報の入力を案内する確認入力案内部と、を更に備え、前記候補記憶制御部は、前記宛先候補情報取得部によって前記宛先候補情報が取得された場合に、前記確認入力案内部によって前記確認情報の入力を案内させる処理を実行し、前記確認情報受付部によって前記正しいことを示す前記確認情報が受け付けられたときに、前記確認情報に対応する前記宛先候補情報を前記候補情報記憶部に記憶することが好ましい。
【００１３】
この構成によれば、ユーザーによって正しいことが確認された宛先候補情報が、候補情報記憶部に記憶される。このため、宛先情報の編集操作に用いる可能性が高い、有用な宛先候補情報を候補情報記憶部に記憶することができる。したがって、宛先情報の編集操作に用いないような宛先候補情報を、無作為に候補情報記憶部に記憶することを軽減することができる。
【００１４】
また、前記宛先候補情報取得部によって取得された前記宛先候補情報が正しいか否かを示す確認情報の入力を受け付ける確認情報受付部と、前記確認情報受付部への前記確認情報の入力を案内する確認入力案内部と、を更に備え、前記候補記憶制御部は、前記宛先候補情報取得部によって前記宛先候補情報が取得された場合に、前記確認入力案内部によって前記確認情報の入力を案内させる処理を実行し、前記確認情報受付部によって前記正しいことを示す前記確認情報が受け付けられたときに、前記確認情報に対応する前記宛先候補情報を前記候補情報記憶部に記憶し、前記確認情報受付部によって前記正しいことを示す前記確認情報が受け付けられなかったときには、前記サーバー入力案内部によって前記サーバー情報の入力を案内させる処理と、前記手動検索実行部に前記手動検索処理を実行させる処理と、前記候補情報手動取得部によって取得された前記宛先候補情報を前記候補情報記憶部に記憶する処理とを実行することが好ましい。
【００１５】
この構成によれば、メインサーバーを介して有用な宛先候補情報を取得することができなかった場合であっても、ユーザーは、サーバー入力案内部による検索サーバー受付部へのサーバー情報の入力の案内に従って、効率よく検索サーバー受付部へのサーバー情報の入力の操作を行うことができる。そして、当該入力したサーバー情報に対応する代替サーバーを介して、宛先候補情報を自動的に取得して記憶することができる。
【００１６】
また、複数の検索サーバーが前記メインサーバーとして予め定められており、前記検索実行部は、前記複数の検索サーバーのそれぞれを前記メインサーバーとして用いる前記自動検索処理を連続して実行し、前記宛先候補情報取得部は、前記連続して実行された前記自動検索処理によって受信された全ての前記検索結果一覧に含まれるホームページに掲載されている前記宛先候補情報を取得することが好ましい。
【００１７】
この構成によれば、複数の検索サーバーによる検索結果を用いて宛先候補情報が取得されるので、宛先候補情報が取得できない虞を軽減することができる。
【００１８】
また、前記ファクシミリ通信に用いる自局の番号である自局番号を記憶する自局番号記憶部を更に備え、前記検索実行部は、前記自動検索処理において、前記自局名称記憶部に記憶されている前記自局名称と前記自局番号記憶部に記憶されている前記自局番号とがともに掲載されたホームページを検索することを前記メインサーバーに要求することが好ましい。
【００１９】
この構成によれば、自局名称と自局番号とがともに掲載されたホームページの一覧から宛先情報の一部となり得る宛先候補情報が取得される。このため、取得される宛先候補情報が、自局に関連する情報、即ち、宛先となる可能性が高い情報となる。
【００２０】
また、前記宛先候補情報は、前記ネットワーク通信に用いるメールアドレスの少なくとも一部を示す情報を含むことが好ましい。
【００２１】
この構成によれば、宛先情報の一部として、ネットワーク通信に用いるメールアドレスを示す情報を編集する操作を行うときの手間を軽減することができる。
【００２２】
また、前記宛先候補情報は、前記ファクシミリ通信に用いる電話番号を示す情報を含むことが好ましい。
【００２３】
この構成によれば、宛先情報の編集操作時に、ファクシミリ通信に用いる電話番号を示す情報を編集する操作を行うときの手間を軽減することができる。
【００２４】
また、前記宛先候補情報取得部は、前記自動検索処理によって受信された前記検索結果一覧のうちの先頭のホームページに掲載されている前記宛先候補情報を取得することが好ましい。
【００２５】
一般的に、検索サーバーの検索結果一覧に含まれるホームページのうち、先頭のホームページは、検索キーワードが掲載されている可能性が最も高いホームページになっている。この構成によれば、メインサーバーによる検索結果一覧に含まれるホームページのうち、自局名称が掲載されている可能性が最も高い先頭のホームページから宛先候補情報が取得される。したがって、取得される宛先候補情報が自局に関連する情報、即ち、宛先となる可能性が高い情報となる。
【００２６】
また、前記候補情報手動取得部は、前記手動検索処理によって受信された前記検索結果一覧のうちの先頭のホームページに掲載されている前記宛先候補情報を取得することが好ましい。
【００２７】
一般的に、検索サーバーの検索結果一覧に含まれるホームページのうち、先頭のホームページは、検索キーワードが掲載されている可能性が最も高いホームページになっている。この構成によれば、代替サーバーによる検索結果一覧に含まれるホームページのうち、自局名称が掲載されている可能性が最も高い先頭のホームページから宛先候補情報が取得される。したがって、取得される宛先候補情報が自局に関連する情報、即ち、宛先となる可能性が高い情報となる。
【００２８】
また、本発明に係る宛先候補情報取得システムは、前記メインサーバーと、前記画像形成装置と、を備える。
【００２９】
この構成によれば、当該宛先候補情報システムに備えられた画像形成装置において、上記の何れかの効果を奏することができる。
【発明の効果】
【００３０】
本発明によれば、ユーザーが宛先情報の編集操作を行うときの手間を軽減することができる画像形成装置及びこれを備えた宛先候補情報取得システムを提供することが可能になる。
【図面の簡単な説明】
【００３１】
【図１】本発明に係る画像形成装置が接続される電話回線網及びネットワークの一例を示す説明図。
【図２】本発明に係る画像形成装置の一例である複合機の概略構造図。
【図３】操作部の一例を示す説明図。
【図４】複合機の電気的構成の一例を示すブロック図。
【図５】検索実行部によって実行される自動検索処理の一例を示す説明図。
【図６】サーバー情報の入力を案内する画面の一例を示す説明図。
【図７】宛先候補情報の正否を示す確認情報の入力を案内する画面の一例を示す説明図。
【図８】宛先情報の編集操作の前半の一例を示す説明図。
【図９】宛先情報の編集操作の後半の一例を示す説明図。
【図１０】宛先候補情報を記憶する動作の前半の一例を示すフローチャート。
【図１１】宛先候補情報を記憶する動作の後半の一例を示すフローチャート。
【発明を実施するための形態】
【００３２】
以下、本発明に係る実施形態を図面に基づいて説明する。図１は、本発明に係る画像形成装置が接続される電話回線網及びネットワークの一例を示す説明図である。
【００３３】
図１に示すように、本発明に係る画像形成装置の一例である複合機１は、電話回線網９５、及びＬＡＮ（Local Area Network）９７やインターネット９９等のネットワークに接続されている。複合機１は、電話回線網９５を介してファクシミリ装置ＥＦとの間でファクシミリ通信を行う。また、複合機１は、ＬＡＮ９７を介してパーソナルコンピューター等のコンピューターＥＣとの間でネットワーク通信を行う。
【００３４】
また、複合機１は、インターネット９９を介して、例えばグーグル（google）やヤフー（yahoo）等の検索サーバーＥＳにインターネット上のホームページの検索を要求し、当該要求に応答して検索されたホームページの一覧を受信するネットワーク通信を行う。
【００３５】
複合機１においては、主に利用する検索サーバーＥＳとしてメインサーバーＭＳが予め定められており、検索サーバーＥＳをメインサーバーＭＳとは異なる代替サーバーＡＳに変更する指示の入力が受け付けられない限りは、メインサーバーＭＳを用いてインターネット上のホームページを検索するネットワーク通信が行なわれる。このように、複合機１とメインサーバーＭＳとを備えた情報検索システム（宛先候補情報取得システム）ＳＹＳが構成されている。尚、情報検索システムＳＹＳは、上記構成に限らず、メインサーバーＭＳがインターネット９９及びＬＡＮ９７に接続され、ＬＡＮ９７を介して複合機１に接続されている構成であってもよい。
【００３６】
図２は、複合機１の概略構造図である。図２に示すように、複合機１は、原稿読取部５と、原稿給送部６と、本体部８と、操作部７と、を備えている。
【００３７】
原稿読取部５は、本体部８の上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００３８】
スキャナー部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述の制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述の制御部１０へ出力する。
【００３９】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００４０】
本体部８は、複数の給紙カセット４６１と、給紙カセット４６１又は手差しトレイ４６２から用紙を１枚ずつ繰り出して画像形成部４へ搬送する給紙ローラー４１２と、搬出されてきた用紙に画像を形成する画像形成部４と、画像が形成された用紙が排出されるスタックトレイ４７及び排出トレイ４８と、を備えている。
【００４１】
画像形成部４は、用紙搬送部４１と、光走査装置４２と、感光体ドラム４３と、現像部４４と、転写部４５と、定着部４６と、を備えている。
【００４２】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００４３】
光走査装置４２は、制御部１０に入力された画像データに基づいてレーザー光を出力する。光走査装置４２は、このレーザー光によって感光体ドラム４３を走査することで、感光体ドラム４３上に静電潜像を形成する。
【００４４】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４５】
操作部７は、複合機１の正面部に設けられ、ユーザーによる種々の操作指示を入力可能に構成されている。図３は、操作部７の一例を示す説明図である。図３に示すように、操作部７には、タッチパネル装置７１、インジケーター７２ａ〜７２ｆ、入力キー７３ａ〜７３ｄ、スイッチ７４ａ〜７４ｍ、スタートキー７５、ストップキー７６、及びリセットキー７７が設けられている。
【００４６】
タッチパネル装置７１は、タッチパネル機能を有する液晶ディスプレイ（表示部）Ｐを備えている。タッチパネル装置７１は、このタッチパネル機能によって、液晶ディスプレイＰに表示されたソフトキーがユーザーによって触れられたときには、そのソフトキーの押下操作の指示を受け付ける。
【００４７】
インジケーター７２ａ〜７２ｆは、発光ダイオードなどからなり、点滅或いは点灯／消灯することによって、複合機１の状態を示す。例えば、インジケーター７２ａは印刷中に点滅し、インジケーター７２ｂは外部にデータを送信中に点滅し、インジケーター７２ｃは外部からデータを受信中に点滅する。インジケーター７２ｄは複合機１内に備えられたハードディスクやメモリー等に記憶されているデータにアクセス中に点滅する。インジケーター７２ｅは異常が発生した場合に点灯又は点滅する。インジケーター７２ｆは複合機１に電源が投入されているときに点灯する。
【００４８】
入力キー７３ａ〜７３ｄは、数字や記号を入力したり、入力済みの文字列を消去又は確定するために設けられている。例えば、入力キー７３ａは、所謂置数キー群であり、数字や記号を入力するために設けられている。入力キー７３ｂは、所謂クリアキーであり、入力済みの文字列を消去するために設けられている。入力キー７３ｃは、所謂短縮キーであり、予めメモリー等に記憶済みの文字列を読み出して入力するために設けられている。入力キー７３ｄは、所謂エンターキー（リターンキー）であり、文字列の入力指示やソフトキーの選択指示等を確定するために設けられている。
【００４９】
スイッチ７４ａ〜７４ｍは、複合機１に備えられた各機能を切り替えるスイッチである。例えば、代表的なものとして、スイッチ７４ａは、複合機１の動作全般に関わる初期設定を行うためのシステムメニュー機能に切り替えて、ユーザーに初期設定の設定操作を行わせるための操作画面を、液晶ディスプレイＰに表示するスイッチである。スイッチ７４ｋは、スキャナー部５１で読み取られた画像データを後述の通信部９を介して外部に送信する送信機能に切り替え、送信機能に関わる設定内容をユーザーに設定操作させるための操作画面を、液晶ディスプレイＰに表示するスイッチである。
【００５０】
スタートキー７５は、各種機能の動作を開始するために設けられている。ストップキー７６は、各種機能の動作を停止するために設けられている。リセットキー７７は、各種機能の設定内容を初期状態に戻すために設けられている。
【００５１】
図４は、複合機１の電気的構成の一例を示すブロック図である。複合機１は、原稿給送部６、原稿読取部５、画像形成部４、操作部７、制御部１０、通信部９、自局名称記憶部３１、自局番号記憶部３２、宛先情報記憶部３３、及び候補情報記憶部３４等の各部が相互に通信可能なように接続されている。以下、図１乃至図３と同じ符号を付した部分については、特筆しない限り、説明を省略する。
【００５２】
通信部９は、ファクシミリ通信部９１と、ネットワーク通信部９３と、を備えている。ファクシミリ通信部９１は、電話回線網９５に接続されている。
【００５３】
ファクシミリ通信部９１は、相手先のファクシミリ装置ＥＦとの電話回線の接続を制御するＮＣＵ（Network Control Unit）及びファクシミリ通信用の信号を変復調する変復調回路を備えている。ファクシミリ通信部９１は、原稿読取部５によって読み取られた画像データを、電話回線網９５を介して他のファクシミリ装置ＥＦへ送信したり、他のファクシミリ装置ＥＦから送信されてきた画像データを受信する。
【００５４】
ネットワーク通信部９３は、ＬＡＮ（Local Area Network）９７やインターネット９９等のネットワークに接続されている。ネットワーク通信部９３は、ＬＡＮ９７に接続されたパソコン等のコンピューターＥＣやインターネット９９に接続された検索サーバーＥＳとの間で通信を実行するための通信インターフェイス回路である。
【００５５】
ネットワーク通信部９３は、原稿読取部５によって読み取られた画像データを、ＬＡＮ９７を介して外部のコンピューターＥＣへ送信したり、外部のコンピューターＥＣから送信されてきた画像データを受信する。
【００５６】
また、ネットワーク通信部９３は、操作部７等を用いて入力された検索キーワードを含むインターネット上のホームページを検索するよう、インターネット９９を介して検索サーバーＥＳに要求し、当該要求に応答して検索サーバーＥＳから返信された検索結果であるホームページの一覧を受信する。
【００５７】
自局名称記憶部３１は、例えば、ＨＤＤ（Hard Disk Drive)等の記憶装置によって構成されている。自局名称記憶部３１には、ファクシミリ通信部９１によるファクシミリ通信に用いる、例えば、当該複合機１が配置されている会社の名称等の自局の名称（以下、自局名称と称す）が記憶されている。
【００５８】
自局番号記憶部３２は、例えば、ＨＤＤ（Hard Disk Drive)等の記憶装置によって構成されている。自局番号記憶部３２には、ファクシミリ通信部９１によるファクシミリ通信に用いる自局の番号（以下、自局番号と称す）が記憶されている。
【００５９】
宛先情報記憶部３３は、例えば、ＨＤＤ（Hard Disk Drive)等の記憶装置によって構成されている。宛先情報記憶部３３には、後述するように、ネットワーク通信部９３によるネットワーク通信及びファクシミリ通信部９１によるファクシミリ通信を行うときに用いる、例えばメールアドレスや電話番号等の宛先に関する情報（以下、宛先情報と称す）が記憶される。
【００６０】
候補情報記憶部３４は、例えば、ＨＤＤ（Hard Disk Drive)等の記憶装置によって構成されている。候補情報記憶部３４には、後述するように、例えばメールアドレスに含まれる「＠」文字以降のドメイン名を表す文字列やファクシミリ通信に用いる電話番号のうちの市外局番を示す数字等の、宛先情報の一部となり得る情報（以下、宛先候補情報と称す）が記憶される。
【００６１】
制御部１０は、例えば、所定の演算処理を実行するＣＰＵ（Central Processing Unit）、所定の制御プログラムが記憶されたＲＯＭ（Read Only Memory）やデータを一時的に記憶するＲＡＭ（Random Access Memory）等のメモリー、画像処理等の所定の処理を高速処理可能に構成された専用ハードウェアであるＡＳＩＣ（Application Specific Integrated Circuits）、及び、これらの周辺回路等を備えている。制御部１０は、ＲＯＭ等に記憶された制御プログラムをＣＰＵによって実行することによって各種処理を実行し、複合機１内の各部の動作を制御させる。これによって、制御部１０は、複合機１に備えられた複数の機能をそれぞれ実行する。
【００６２】
制御部１０は、ユーザーによって宛先情報を編集操作させるための制御に関して、特に、検索実行部１１、宛先候補情報取得部１２、検索サーバー受付部１３、サーバー入力案内部１４、手動検索実行部１５、候補情報手動取得部１６、確認情報受付部１７、確認入力案内部１８、候補記憶制御部１９、及び編集操作受付部２０として機能する。
【００６３】
検索実行部１１は、自局名称記憶部３１に記憶されている自局名称が掲載されたホームページを検索することを、検索サーバーＥＳとして予め定められたメインサーバーＭＳに要求するとともに、当該要求に応答してメインサーバーＭＳによって検索されたホームページの一覧である検索結果一覧を受信するネットワーク通信をネットワーク通信部９３によって行わせる自動検索処理を実行する。
【００６４】
図５は、検索実行部１１によって実行される自動検索処理の一例を示す説明図である。具体的には、検索実行部１１は、自動検索処理を開始すると、例えば図５に示すように、先ず、ホームページを閲覧するためのウェブブラウザＢを起動して、ウェブブラウザＢによってメインサーバーＭＳの検索用のホームページを表示させる。尚、メインサーバーＭＳの検索用のホームページにアクセスするためのＵＲＬ等のネットワークアドレス情報は、予めＲＯＭ等に記憶されている。
【００６５】
そして、検索実行部１１は、例えばウェブブラウザＢによってスクリプトを実行させる等して、メインサーバーＭＳの検索用のホームページの検索キーワードの入力欄ＤＡ１に自局名称記憶部３１に記憶されている自局名称（図５において「Ａ株式会社」）を入力する。
【００６６】
そして、検索実行部１１は、例えばウェブブラウザＢによってスクリプトを実行させる等して、メインサーバーＭＳに検索の実行を要求するための検索実行キーＳＫ１を押下操作した状態にする。これによって、検索実行部１１は、検索キーワードの入力欄ＤＡ１に自動的に入力された自局名称を検索キーワードとして、自局名称が掲載されたホームページを検索することをメインサーバーＭＳに要求する。
【００６７】
そして、当該要求に応答してメインサーバーＭＳによって検索された、自局名称が掲載されたホームページのネットワークアドレス情報の一覧である検索結果一覧が、ネットワーク通信部９３を介して受信されて、ウェブブラウザＢによって表示される。これによって、検索実行部１１は、自動検索処理を終了する。
【００６８】
図４に戻り、宛先候補情報取得部１２は、検索実行部１１による自動検索処理によって受信された検索結果一覧に含まれるホームページのうちの先頭のホームページに掲載されている宛先候補情報を取得する。
【００６９】
具体的には、宛先候補情報取得部１２は、例えばウェブブラウザＢによってスクリプトを実行させる等して、検索結果一覧のうちの先頭のネットワークアドレス情報に対応するホームページをウェブブラウザＢに表示させる。
【００７０】
そして、宛先候補情報取得部１２は、ウェブブラウザＢに表示されたホームページのソースコードの中から、例えば「<A HREF=mailto:"xxx@domainA.co.jp"」の記載によって指定されているメールアドレス（上記において、xxx@domainA.co.jp）や、「<A HREF=tel:"06-****-****"」の記載によって指定された電話番号（上記において、06-****-****）等の宛先情報を取得する。尚、宛先候補情報取得部１２が、ウェブブラウザＢに表示されたホームページのソースコードの中から宛先情報を取得する方法を、これに限定する趣旨ではない。例えば、<address>タグで囲まれている文字列のうち、ドット（.）やアットマーク（＠）を含む文字列を取得する等の方法であってもよい。
【００７１】
そして、宛先候補情報取得部１２は、ホームページのソースコードの中から取得した宛先情報から、少なくとも一部の情報を宛先候補情報として取得する。例えば、宛先候補情報取得部１２は、ホームページのソースコードの中から取得したメールアドレスから、アットマーク（＠）以降のドメイン名を表す文字列（上記の場合、domainA.co.jp)を宛先候補情報として取得する。また、宛先候補情報取得部１２は、ホームページのソースコードの中から取得した電話番号から、先頭の数字から最初のハイフンまでの市外局番を表す数字の文字列（上記の場合、06）を、宛先候補情報として取得する。尚、宛先候補情報取得部１２が宛先候補情報として取得する情報は、上記の例に限らず、例えば、メールアドレスのうちの最後のドット（．）以降の国を表す文字列であってもよい。
【００７２】
図４に戻り、検索サーバー受付部１３は、メインサーバーＭＳとは異なる検索サーバーＥＳを識別するサーバー情報の入力を受け付ける。サーバー入力案内部１４は、検索サーバー受付部１３へのサーバー情報の入力を案内する。
【００７３】
図６は、サーバー情報の入力を案内する画面の一例を示す説明図である。具体的には、サーバー入力案内部１４は、例えば図６に示すように、メインサーバーＭＳとは異なる検索サーバーＥＳのネットワークアドレス情報を入力させるためのサーバー情報入力画面Ｗ１を液晶ディスプレイＰに表示させる。
【００７４】
サーバー情報入力画面Ｗ１には、ネットワークアドレス情報が入力されるサーバー情報入力欄ＤＡ２と、ユーザーによって触れられた位置に表示されている文字をサーバー情報入力欄ＤＡ２に入力するソフトウェアキーボードＳＫＥＹ２と、ＯＫキーＳＫ２が表示される。
【００７５】
そして、サーバー情報入力欄ＤＡ２に、ソフトウェアキーボードＳＫＥＹ２を用いて、メインサーバーＭＳとは異なる検索サーバーＥＳにアクセスするためのネットワークアドレス情報がユーザーによって入力された後、ＯＫキーＳＫ２が押下されると、検索サーバー受付部１３は、サーバー情報入力欄ＤＡ２に入力されたネットワークアドレス情報を、サーバー情報として受け付ける。
【００７６】
図４に戻り、手動検索実行部１５は、自局名称記憶部３１に記憶されている自局名称が掲載されたホームページを検索することを、検索サーバー受付部１３で受け付けられたサーバー情報に対応する検索サーバーＥＳである代替サーバーＡＳに要求するとともに、当該要求に応答して代替サーバーＡＳによって検索されたホームページの一覧である検索結果一覧を受信するネットワーク通信をネットワーク通信部９３によって行わせる手動検索処理を実行する。
【００７７】
つまり、手動検索処理は、上記の検索実行部１１によって実行される自動検索処理において、自局名称が掲載されたホームページを検索することを要求する先の検索サーバーＥＳを、メインサーバーＭＳに代えて代替サーバーＡＳにしたものと同じ処理である。このため、手動検索処理の詳細な説明を省略する。
【００７８】
候補情報手動取得部１６は、手動検索処理によって受信された検索結果一覧に含まれるホームページのうちの先頭のホームページに掲載されている宛先候補情報を取得する。尚、候補情報手動取得部１６が宛先候補情報を取得する方法は、上記の宛先候補情報取得部１２が自動検索処理によって受信された検索結果一覧に含まれるホームページのうちの先頭のホームページに掲載されている宛先候補情報を取得する方法と同様である。このため、詳細な説明を省略する。
【００７９】
確認情報受付部１７は、宛先候補情報取得部１２によって取得された宛先候補情報が正しいか否かを示す確認情報の入力を受け付ける。確認入力案内部１８は、確認情報受付部１７への確認情報の入力を案内する。
【００８０】
候補記憶制御部１９は、宛先候補情報取得部１２によって宛先候補情報が取得された場合に、確認入力案内部１８によって確認情報の入力を案内させる処理を実行し、確認情報受付部１７によって正しいことを示す確認情報が受け付けられたときに、確認情報に対応する宛先候補情報を候補情報記憶部３４に記憶する。
【００８１】
図７は、宛先候補情報の正否を示す確認情報の入力を案内する画面の一例を示す説明図である。具体的には、確認入力案内部１８は、例えば図７（ａ）に示すように、宛先候補情報確認画面Ｗ２を液晶ディスプレイＰに表示させる。
【００８２】
宛先候補情報確認画面Ｗ２には、宛先候補情報取得部１２によって取得された宛先候補情報にそれぞれ対応するソフトキーＲ１〜Ｒ４と、ＯＫキーＳＫ３と、削除キーＳＫ４と、キャンセルキーＳＫ５と、が表示される。
【００８３】
宛先候補情報確認画面Ｗ２において、ユーザーによってソフトキーＲ１〜Ｒ４のうちの何れか（例えばソフトキーＲ１）が押下された状態で、削除キーＳＫ４が押下されると、確認情報受付部１７は、当該押下された状態のソフトキー（例えばソフトキーＲ１）に対応する宛先候補情報が正しくないことを示す確認情報の入力を受け付ける。尚、確認情報受付部１７によって正しくないことを示す確認情報の入力が受け付けられた場合、候補記憶制御部１９は、例えば図７（ｂ）に示すように、宛先候補情報確認画面Ｗ２に表示されている当該正しくないことを示す確認情報に対応するソフトキー（例えばソフトキーＲ１）を非表示にする。
【００８４】
一方、宛先候補情報確認画面Ｗ２においてＯＫキーＳＫ３が押下されると、確認情報受付部１７は、当該押下時に宛先候補情報確認画面Ｗ２に表示されているソフトキー（図７（ｂ）においてソフトキーＲ２〜Ｒ４）に対応する宛先候補情報がそれぞれ正しいことを示す確認情報の入力を受け付ける。
【００８５】
確認情報受付部１７によって宛先候補情報が正しいことを示す確認情報の入力が受け付けられると、候補記憶制御部１９は、当該正しいことを示す確認情報に対応する宛先候補情報（図７（ｂ）においてソフトキーＲ２〜Ｒ４に対応する宛先確認情報）を候補情報記憶部３４に記憶する。
【００８６】
また、宛先候補情報確認画面Ｗ２においてキャンセルキーＳＫ５が押下された場合、及び、宛先候補情報確認画面Ｗ２において一つもソフトキーが表示されていない状態でＯＫキーＳＫ３が押下された場合、確認情報受付部１７は、宛先候補情報が正しいことを示す確認情報が受け付けられなかったものとして、宛先候補情報取得部１２によって取得された全ての宛先候補情報がそれぞれ正しくないことを示す確認情報の入力を受け付ける。
【００８７】
このように、確認情報受付部１７によって正しいことを示す確認情報が受け付けられなかったときには、候補記憶制御部１９は、サーバー入力案内部１４によってサーバー情報の入力を案内させる処理と、手動検索実行部１５に手動検索処理を実行させる処理と、候補情報手動取得部１６によって取得された宛先候補情報を候補情報記憶部３４に記憶する処理とを実行する。
【００８８】
また、候補記憶制御部１９は、宛先候補情報取得部１２によって宛先候補情報が取得されなかった場合に、サーバー入力案内部１４によってサーバー情報の入力を案内させる処理と、手動検索実行部１５によって手動検索処理を実行させる処理と、候補情報手動取得部１６によって取得された宛先候補情報を候補情報記憶部３４に記憶する処理とを実行する。
【００８９】
編集操作受付部２０は、候補情報記憶部３４に記憶されている宛先候補情報を、宛先情報記憶部３３に記憶する対象の宛先情報の一部に用いる編集の操作を受け付ける。
【００９０】
図８は、宛先情報の編集操作の前半の一例を示す説明図である。図９は、宛先情報の編集操作の後半の一例を示す説明図である。具体的には、例えば、ユーザーによってスイッチ７４ａ（図３）が押下されると、制御部１０によってシステムメニュー機能の操作画面が液晶ディスプレイＰに表示される。更に、システムメニュー機能の操作画面において、ユーザー管理用の操作画面を表示させるためのソフトキーがユーザーによって押下されると、例えば図８（ａ）に示すように、制御部１０によって、ユーザー管理用の操作画面Ｗ３が液晶ディスプレイＰに表示される。
【００９１】
ユーザー管理用の操作画面Ｗ３には、複合機１を利用するときに用いる複数の設定内容の初期値を、ユーザー毎に編集するための操作画面を表示させるために、各設定内容に対応するソフトキー（例えば図８（ａ）においてソフトキーＥ１〜Ｅ４）が表示されている。
【００９２】
例えば、ソフトキーＥ１が押下されると、複合機１にログインするときのユーザー名を編集するための操作画面（図略）が制御部１０によって液晶ディスプレイＰに表示される。当該操作画面においてユーザー名が編集されると、当該編集されたユーザー名（例えば、図８（ａ）においては「ＵＳＥＲＡ」）が、制御部１０によってソフトキーＥ１上に表示される。
【００９３】
また、ソフトキーＥ２が押下されると、ソフトキーＥ１が押下された場合と同様に、複合機１にログインするときのパスワードを編集するための操作画面（図略）が制御部１０によって液晶ディスプレイＰに表示される。そして、当該操作画面において編集されたパスワードが、ユーザーによって視認できない態様で（例えば図８（ａ）において「********」）、制御部１０によってソフトキーＥ２上に表示される。
【００９４】
また、ソフトキーＥ３が押下されると、例えば図８（ｂ）に示すように、ソフトキーＥ１に対応するユーザーがメール送信時に用いるメールアドレスを編集するための操作画面であるメールアドレス編集画面Ｗ４が、制御部１０によって液晶ディスプレイＰに表示される。
【００９５】
メールアドレス編集画面Ｗ４には、メールアドレスが入力されるメールアドレス入力欄ＤＡ３と、ユーザーによって触れられた位置に表示されている文字をメールアドレス入力欄ＤＡ３に入力するソフトウェアキーボードＳＫＥＹ３と、ＯＫキーＳＫ７が表示される。
【００９６】
そして、ユーザーによって、ソフトウェアキーボードＳＫＥＹ３を用いてメールアドレス入力欄ＤＡ３へのメールアドレスの入力が開始された後、例えばアットマーク「＠」が入力されたときに、編集操作受付部２０は、候補情報記憶部３４に記憶されている宛先候補情報を宛先情報の一部に用いる編集の操作の開始指示を受け付ける。
【００９７】
編集操作受付部２０によって当該開始指示が受け付けられると、制御部１０は、例えば図９（ａ）に示すように、宛先候補情報選択画面Ｗ５を液晶ディスプレイＰに表示させる。宛先候補情報選択画面Ｗ５には、候補情報記憶部３４に記憶されている宛先候補情報に対応するソフトキーＬ１〜Ｌ４と、ＯＫキーＳＫ６と、が表示される。
【００９８】
宛先候補情報選択画面Ｗ５において、ユーザーによってソフトキーＬ１〜Ｌ４のうちの何れか（例えばソフトキーＬ１）が押下された状態で、ＯＫキーＳＫ６が押下されると、編集操作受付部２０は、当該押下された状態のソフトキー（例えばソフトキーＬ１）に対応する宛先候補情報（図９（ａ）において「domainA.co.jp」）の入力を受け付ける。
【００９９】
編集操作受付部２０によって当該宛先候補情報の入力が受け付けられると、制御部１０は、宛先候補情報選択画面Ｗ５を非表示にし、例えば図９（ｂ）に示すように、メールアドレス編集画面Ｗ４のメールアドレス入力欄ＤＡ３に入力されているアットマーク「＠」に続けて、当該受け付けられた宛先候補情報（図９（ｂ）において「domainA.co.jp」）を表示させる。
【０１００】
そして、ユーザーによってメールアドレス編集画面Ｗ４のＯＫキーＳＫ７が押下されると、編集操作受付部２０は、メールアドレス編集画面Ｗ４のメールアドレス入力欄ＤＡ３に入力されたメールアドレスの入力を受け付ける。編集操作受付部２０によってメールアドレスの入力が受け付けられると、制御部１０は、メールアドレス編集画面Ｗ４を非表示にし、当該受け付けられたメールアドレスを宛先情報として宛先情報記憶部３３に記憶する。また、当該受け付けられたメールアドレスは、制御部１０によって、ユーザー管理用の操作画面Ｗ３（図８（ａ））におけるソフトキーＥ３上に表示される。
【０１０１】
ユーザー管理用の操作画面Ｗ３（図６（ａ））において、ソフトキーＥ４が押下されると、ソフトキーＥ３が押下された場合と同様に、例えば図８（ｂ）と同様に、ソフトキーＥ１に対応するユーザーがファクシミリ通信時に用いる電話番号を編集するための操作画面である電話番号編集画面（図略）が、制御部１０によって液晶ディスプレイＰに表示される。
【０１０２】
電話番号編集画面（図略）が液晶ディスプレイＰに表示されると、例えば電話番号編集画面が表示された直後に、編集操作受付部２０は、候補情報記憶部３４に記憶されている宛先候補情報を宛先情報の一部に用いる編集の操作の開始指示を受け付ける。
【０１０３】
編集操作受付部２０によって当該開始指示が受け付けられると、制御部１０は、宛先候補情報選択画面Ｗ５（図９（ａ））を液晶ディスプレイＰに表示させる。そして、宛先候補情報選択画面Ｗ５において、ユーザーによってソフトキーＬ１〜Ｌ４のうちの何れか（例えばソフトキーＬ３）が押下された状態で、ＯＫキーＳＫ６が押下されると、編集操作受付部２０は、当該押下された状態のソフトキー（例えばソフトキーＬ３）に対応する宛先候補情報（図９（ａ）において「０６」）の入力を受け付ける。
【０１０４】
編集操作受付部２０によって当該宛先候補情報の入力が受け付けられると、制御部１０は、宛先候補情報選択画面Ｗ５を非表示にし、電話番号編集画面（図略）に設けられた電話番号の入力欄に、当該受け付けられた宛先候補情報（例えば、ソフトキーＬ３に対応する「０６」）を表示させる。
【０１０５】
ユーザーによって電話番号編集画面（図略）における電話番号の入力を完了する操作が行われると、編集操作受付部２０は、当該電話番号の入力を受け付ける。編集操作受付部２０によって電話番号の入力が受け付けられると、制御部１０は、電話番号編集画面（図略）を非表示にし、当該受け付けられた電話番号を宛先情報として宛先情報記憶部３３に記憶する。また、当該受け付けられた電話番号は、制御部１０によって、ユーザー管理用の操作画面Ｗ３（図８（ａ））におけるソフトキーＥ４上に表示される。
【０１０６】
次に、図１０及び図１１を用いて、宛先候補情報を候補情報記憶部３４に記憶する動作について説明する。図１０は、宛先候補情報を記憶する動作の前半の一例を示すフローチャートである。図１１は、宛先候補情報を記憶する動作の後半の一例を示すフローチャートである。
【０１０７】
例えば図１０に示すように、例えば液晶ディスプレイＰに表示されたソフトキーが押下される等の所定のタイミングで、宛先候補情報を記憶する動作が開始されると、検索実行部１１は、自局名称記憶部３１に記憶されている自局名称を読み出し（Ｓ１）、当該読み出した自局名称が掲載されたホームページを検索することをメインサーバーＭＳに要求する（Ｓ２、自動検索処理）。そして、検索実行部１１は、ネットワーク通信部９３を介して、ステップＳ２における要求に応答してメインサーバーＭＳによって検索されたホームページの一覧である検索結果一覧を受信する（Ｓ３、自動検索処理）。
【０１０８】
そして、宛先候補情報取得部１２は、ステップＳ３で受信された検索結果一覧に含まれるホームページのうちの先頭のホームページに掲載されている宛先候補情報（例えば、ドメイン名、市外局番等）を取得する（Ｓ４）。
【０１０９】
ステップＳ４において宛先候補情報（例えば、ドメイン名、市外局番等）が取得された場合（Ｓ５；ＹＥＳ）、候補記憶制御部１９は、確認入力案内部１８によって、ステップＳ４で取得された宛先候補情報が正しいか否かを示す確認情報を入力する画面（例えば、図７に示す宛先候補情報確認画面Ｗ２）を液晶ディスプレイＰに表示させる（Ｓ６）。
【０１１０】
そして、ステップＳ６で表示された画面（例えば、図７に示す宛先候補情報確認画面Ｗ２）において、例えば宛先候補情報（例えば、ドメイン名、市外局番等）が１つ以上表示されている状態で所定のソフトキー（例えば、図７においてＯＫキーＳＫ３）が押下される等して、宛先候補情報が正しいことを示す確認情報の入力が確認情報受付部１７によって受け付けられると（Ｓ７；ＹＥＳ）、候補記憶制御部１９は、当該正しいことを示す確認情報に対応する宛先候補情報を候補情報記憶部３４に記憶する（Ｓ８）。
【０１１１】
一方、ステップＳ４において宛先候補情報取得部１２によって宛先候補情報（例えば、ドメイン名、市外局番等）が一件も取得されなかった場合（Ｓ５；ＮＯ）、例えば図１１に示すように、候補記憶制御部１９は、サーバー入力案内部１４によって、メインサーバーＭＳとは異なる検索サーバーＥＳを識別するサーバー情報を入力するための画面（例えば、図６に示すサーバー情報入力画面Ｗ１）を液晶ディスプレイＰに表示させる（Ｓ９）。
【０１１２】
また、ステップＳ６で表示された画面（例えば、図７に示す宛先候補情報確認画面Ｗ２）において、例えば、当該画面を非表示にするソフトキー（例えば、図７においてキャンセルキーＳＫ５）が押下される、或いは、宛先候補情報（例えば、ドメイン名、市外局番等）が１件も表示されていない状態で所定のソフトキー（例えば、図７においてＯＫキーＳＫ３）が押下される等して、宛先候補情報が正しいことを示す確認情報の入力が確認情報受付部１７によって受け付けられなかった場合（Ｓ７；ＮＯ）も、ステップＳ９を実行する。
【０１１３】
そして、ステップＳ９で表示された画面（例えば、図６に示すサーバー情報入力画面Ｗ１）において、所定の入力欄（例えば、図６においてサーバー情報入力欄ＤＡ２）にサーバー情報が入力された状態で、入力を確定するための所定のソフトキー（例えば、図６においてＯＫキーＳＫ２）が押下される等して、検索サーバー受付部１３によってサーバー情報の入力が受け付けられると（Ｓ１０；ＹＥＳ）、手動検索実行部１５は、自局名称記憶部３１に記憶されている自局名称を読み出す（Ｓ１１）。
【０１１４】
そして、手動検索実行部１５は、ステップＳ１１で読み出した自局名称が掲載されたホームページを検索することを、ステップＳ１０で受け付けられたサーバー情報によって識別される代替サーバーＡＳに要求する（Ｓ１２、手動検索処理）。そして、手動検索実行部１５は、ネットワーク通信部９３を介して、ステップＳ１２における要求に応答して代替サーバーＡＳによって検索されたホームページの一覧である検索結果一覧を受信する（Ｓ１３、手動検索処理）。
【０１１５】
そして、候補情報手動取得部１６は、ステップＳ１３で受信された検索結果一覧に含まれるホームページのうちの先頭のホームページに掲載されている宛先候補情報（例えば、ドメイン名、市外局番等）を取得する（Ｓ１４）。そして、ステップＳ１４において宛先候補情報が取得された場合（Ｓ１５；ＹＥＳ）、候補記憶制御部１９は、ステップＳ１４で取得された宛先候補情報を候補情報記憶部３４に記憶する（Ｓ１６）。一方、ステップＳ１４において宛先候補情報が取得されなかった場合（Ｓ１５；ＮＯ）は、宛先候補情報を記憶する動作を終了する。
【０１１６】
このように、上記実施形態の構成によれば、メインサーバーＭＳから受信した、自局名称が掲載されたホームページの一覧から、宛先情報（例えば、メールアドレス、電話番号等）の一部となり得る宛先候補情報（例えば、ドメイン名、市外局番等）が取得される。そして、この取得した宛先候補情報を宛先情報の一部に用いる編集の操作が受け付けられる。つまり、自局名称記憶部３１に記憶された自局名称が掲載されているホームページから、自局に関連する例えばメールアドレスや電話番号等の、宛先情報の一部となり得る可能性の高い情報を自動的に取得して記憶することができる。したがって、宛先情報の編集操作時に用いる宛先情報の一部となり得る宛先候補情報を予め記憶するときの手間を軽減することができる。
【０１１７】
また、上記実施形態の構成によれば、自動的に宛先候補情報（例えば、ドメイン名、市外局番等）を取得できなかった場合であっても、ユーザーは、サーバー入力案内部１４による検索サーバー受付部１３へのサーバー情報の入力の案内に従って、効率よく検索サーバー受付部１３へのサーバー情報の入力の操作を行うことができる。そして、当該入力したサーバー情報に対応する代替サーバーＡＳを介して、宛先候補情報を自動的に取得して記憶することができる。
【０１１８】
また、上記実施形態の構成によれば、ユーザーによって正しいことが確認された宛先候補情報（例えば、ドメイン名、市外局番等）が候補情報記憶部３４に記憶される。このため、宛先情報（例えば、メールアドレス、電話番号等）の編集操作に用いる可能性が高い、有用な宛先候補情報を候補情報記憶部３４に記憶することができる。したがって、宛先情報の編集操作に用いないような宛先候補情報を、無作為に候補情報記憶部３４に記憶することを軽減することができる。
【０１１９】
また、上記実施形態の構成によれば、メインサーバーＭＳを介して有用な宛先候補情報（例えば、ドメイン名、市外局番等）を取得することができなかった場合であっても、ユーザーは、サーバー入力案内部１４による検索サーバー受付部１３へのサーバー情報の入力の案内に従って、効率よく検索サーバー受付部１３へのサーバー情報の入力の操作を行うことができる。そして、当該入力したサーバー情報に対応する代替サーバーＡＳを介して、宛先候補情報を自動的に取得して記憶することができる。
【０１２０】
また、上記実施形態の構成によれば、宛先情報（例えば、メールアドレス）の一部として、ネットワーク通信に用いるメールアドレスを示す情報を編集する操作を行うときの手間を軽減することができる。
【０１２１】
また、上記実施形態の構成によれば、宛先情報（例えば、電話番号）の編集操作時に、ファクシミリ通信に用いる電話番号を示す情報を編集する操作を行うときの手間を軽減することができる。
【０１２２】
また、一般的に、検索サーバーＥＳの検索結果一覧に含まれるホームページのうち、先頭のホームページは、検索キーワードが掲載されている可能性が最も高いホームページになっている。
【０１２３】
この構成によれば、メインサーバーＭＳによる検索結果一覧に含まれるホームページのうち、自局名称が掲載されている可能性が最も高い先頭のホームページから宛先候補情報（例えば、ドメイン名、市外局番等）が取得される。したがって、取得される宛先候補情報が自局に関連する情報、即ち、宛先となる可能性が高い情報となる。
【０１２４】
また、代替サーバーＡＳによる検索結果一覧に含まれるホームページのうち、自局名称が掲載されている可能性が最も高い先頭のホームページから宛先候補情報（例えば、ドメイン名、市外局番等）が取得される。したがって、取得される宛先候補情報が自局に関連する情報、即ち、宛先となる可能性が高い情報となる。
【０１２５】
尚、上記実施形態において図１乃至図１１に示した構成は単なる一例に過ぎず、本発明を当該実施形態に限定する趣旨ではない。
【０１２６】
例えば、ステップＳ４（図１０）において、検索結果一覧に含まれるホームページのうちの先頭のホームページから宛先候補情報（例えば、ドメイン名、市外局番等）を取得するように構成していたが、これに代えて、検索結果一覧に含まれるホームページのうち、所定の複数件数分のホームページから宛先候補情報を取得するように構成してもよい。同様に、ステップＳ１４（図１１）においても、検索結果一覧に含まれるホームページのうちの先頭のホームページから宛先候補情報を取得するように構成していたが、これに代えて、検索結果一覧に含まれるホームページのうち、所定の複数件数分のホームページから宛先候補情報を取得するように構成してもよい。
【０１２７】
また、複数の検索サーバーＥＳをメインサーバーＭＳとして予め定めてもよい。これに合わせて、検索実行部１１は、当該複数の検索サーバーＥＳのそれぞれをメインサーバーＭＳとして用いる自動検索処理を連続して実行するように構成してもよい。また、これに合わせて、宛先候補情報取得部１２は、当該連続して実行された自動検索処理によって受信された全ての検索結果一覧に含まれるホームページに掲載されている宛先候補情報（例えば、ドメイン名、市外局番等）を取得するように構成してもよい。
【０１２８】
具体的には、例えば、検索実行部１１は、ステップＳ１（図１０）の実行後、メインサーバーＭＳとして予め定められた複数の検索サーバーＥＳのうち、一つ目の検索サーバーＥＳをメインサーバーＭＳとしてステップＳ２（図１０）及びステップＳ３（図１０）を実行し、続いて、二つ目の検索サーバーＥＳをメインサーバーＭＳとしてステップＳ２及びステップＳ３を実行するように構成してもよい。このように、検索実行部１１は、メインサーバーＭＳとして予め定められた複数の検索サーバーＥＳに含まれる各検索サーバーＥＳをメインサーバーＭＳとして、ステップＳ２及びステップＳ３を実行することを、連続して行うように構成してもよい。
【０１２９】
そして、これに合わせて、ステップＳ４（図１０）において、宛先候補情報取得部１２は、連続して実行されたステップＳ３によって、各検索サーバーＥＳから受信された検索結果一覧に含まれるホームページのうち、先頭のホームページ又は所定の複数件分のホームページに掲載されている宛先候補情報（例えば、ドメイン名、市外局番等）を取得するように構成してもよい。
【０１３０】
この構成によれば、複数の検索サーバーＥＳによる検索結果を用いて宛先候補情報が取得されるので、宛先候補情報が取得できない虞を軽減することができる。
【０１３１】
また、検索実行部１１は、自動検索処理において、自局名称記憶部３１に記憶されている自局名称だけでなく、自局番号記憶部３２に記憶されている自局番号も読み出して、当該読み出した自局名称及び自局番号がともに掲載されたホームページを検索することを、メインサーバーＭＳに要求するように構成してもよい。
【０１３２】
具体的には、例えば、検索実行部１１は、ステップＳ１（図１０）において、自局名称記憶部３１に記憶されている自局名称だけでなく、自局番号記憶部３２に記憶されている自局番号を読み出すように構成してもよい。
【０１３３】
そして、検索実行部１１は、ステップＳ２（図１０）において、例えばウェブブラウザＢによってスクリプトを実行させる等して、メインサーバーＭＳの検索用のホームページの検索キーワードの入力欄（例えば、図５において検索キーワードの入力欄ＤＡ１）に、自動的に、ステップＳ１で読み出した自局名称を入力し、続いて「ＡＮＤ」と入力し、そして、ステップＳ１で読み出した自局番号を入力するように構成してもよい。
【０１３４】
そして、検索実行部１１は、例えばウェブブラウザＢによってスクリプトを実行させる等して、検索の実行を要求するボタン（例えば、図５において検索実行キーＳＫ１）を押下操作した状態にして、自局名称及び自局番号がともに掲載されたホームページを検索することを、メインサーバーＭＳに要求するように構成してもよい。
【０１３５】
この構成によれば、自局名称と自局番号とがともに掲載されたホームページの一覧から宛先情報（例えば、メールアドレス、電話番号等）の一部となり得る宛先候補情報（例えば、ドメイン名、市外局番等）が取得される。このため、取得される宛先候補情報が、自局に関連する情報、即ち、宛先となる可能性が高い情報となる。
【０１３６】
また、候補記憶制御部１９は、ステップＳ１６（図１１）において、ステップＳ１４（図１１）で取得された宛先候補情報（例えば、ドメイン名、市外局番等）を候補情報記憶部３４に記憶する前に、ステップＳ６（図１０）及びステップＳ７（図１０）と同様の処理を実行するように構成して、ステップＳ１４で取得された宛先候補情報のうち、正しいことを示す確認情報が入力された宛先候補情報のみを候補情報記憶部３４に記憶するように構成してもよい。
【０１３７】
また、宛先情報は、メールアドレス及び電話番号に限定する趣旨ではなく、例えば、ウェブブラウザＢを液晶ディスプレイＰに表示して、最初に表示させるホームページのネットワークアドレス情報であってもよい。
【０１３８】
また、ステップＳ７（図１０）において、宛先候補情報（例えば、ドメイン名、市外局番等）が正しいことを示す確認情報の入力が確認情報受付部１７によって受け付けられなかった場合（Ｓ７；ＮＯ）は、宛先候補情報を記憶する動作を終了するように簡素化して構成してもよい。
【０１３９】
また、制御部１０が、確認情報受付部１７及び確認入力案内部１８として機能しないように簡素化して構成してもよい。そして、これに合わせて、ステップＳ６（図１０）及びステップＳ７（図１０）を実行しないように構成し、ステップＳ８（図１０）においては、ステップＳ４（図１０）で取得された全ての宛先候補情報（例えば、ドメイン名、市外局番等）を候補情報記憶部３４に記憶するように構成してもよい。
【０１４０】
また、制御部１０が、検索サーバー受付部１３、サーバー入力案内部１４、手動検索実行部１５、及び候補情報手動取得部１６として機能しないように簡素化して構成してもよい。そして、これに合わせて、ステップＳ９〜Ｓ１６（図１１）を実行しないように構成してもよい。
【０１４１】
また、上記実施形態の構成では、本発明に係る画像形成装置を複合機１に適用する例について説明したが、これに限らず、ファクシミリ通信及びネットワーク通信することが可能に構成されたスキャナー装置に適用してもよい。
【符号の説明】
【０１４２】
１        ：複合機（画像形成装置）
９        ：通信部
１０      ：制御部
１１      ：検索実行部
１２      ：宛先候補情報取得部
１３      ：検索サーバー受付部
１４      ：サーバー入力案内部
１５      ：手動検索実行部
１６      ：候補情報手動取得部
１７      ：確認情報受付部
１８      ：確認入力案内部
１９      ：候補記憶制御部
２０      ：編集操作受付部
３１      ：自局名称記憶部
３２      ：自局番号記憶部
３３      ：宛先情報記憶部
３４      ：候補情報記憶部
９１      ：ファクシミリ通信部
９３      ：ネットワーク通信部
９５      ：電話回線網
９７      ：ＬＡＮ
９９      ：インターネット
ＡＳ      ：代替サーバー
ＥＳ      ：検索サーバー
ＭＳ      ：メインサーバー
Ｐ        ：液晶ディスプレイ（表示部）
ＳＹＳ    ：情報検索システム（宛先候補情報取得システム）
Ｗ１      ：サーバー情報入力画面
Ｗ２      ：宛先候補情報確認画面
Ｗ３      ：ユーザー管理用の操作画面
Ｗ４      ：メールアドレス編集画面
Ｗ５      ：宛先候補情報選択画面
【図１】
2013251706.tif 000003
【図２】
2013251706.tif 000004
【図３】
2013251706.tif 000005
【図４】
2013251706.tif 000006
【図５】
2013251706.tif 000007
【図６】
2013251706.tif 000008
【図７】
2013251706.tif 000009
【図８】
2013251706.tif 000010
【図９】
2013251706.tif 000011
【図１０】
2013251706.tif 000012
【図１１】
2013251706.tif 000013